(57)【要約】【課題】浴槽の蓋閉じ動作を迅速かつ適切に行なうことが可能な浴槽蓋装置を提供する。【解決手段】浴槽蓋Ｃが上向き起立姿勢とされた蓋開き状態と、浴槽蓋Ｃが浴槽３上に倒されて略水平の姿勢とされた蓋閉じ状態とを切り替え設定可能なように、浴槽蓋Ｃを回転可能に支持する回転支持部Ｓと、前記蓋開き状態から前記蓋閉じ状態への蓋閉じ動作時において、浴槽蓋Ｃが回転支持部Ｓを中心として回転する際の回転速度を下げるダンパ機能を発揮するダンパ４と、を備えている、浴槽蓋装置Ａであって、ダンパ４として、前記蓋閉じ動作時におけるダンパ機能の発揮時期が相違する少なくとも２種類のダンパ４Ａ，４Ｂを備えている。【選択図】  図１
2016120172.tif 000002
【特許請求の範囲】
【請求項１】
浴槽蓋が上向き起立姿勢とされた蓋開き状態と、前記浴槽蓋が浴槽上に倒されて略水平の姿勢とされた蓋閉じ状態とを切り替え設定可能なように、前記浴槽蓋を回転可能に支持する回転支持部と、
前記蓋開き状態から前記蓋閉じ状態への蓋閉じ動作時において、前記浴槽蓋が前記回転支持部を中心として回転する際の回転速度を下げるダンパ機能を発揮するダンパと、
を備えている、浴槽蓋装置であって、
前記ダンパとして、前記蓋閉じ動作時におけるダンパ機能の発揮時期が相違する少なくとも２種類のダンパを備えていることを特徴とする、浴槽蓋装置。
【請求項２】
請求項１に記載の浴槽蓋装置であって、
前記２種類のダンパのうち、一方のダンパは、前記蓋閉じ動作の初期からダンパ機能を発揮し、かつ他方のダンパは、前記一方のダンパよりも遅れたタイミングでダンパ機能を発揮し、前記他方のダンパがダンパ機能を発揮する期間中は、それ以前の期間よりも前記浴槽蓋に作用するダンパ強さが大きくなるように構成されている、浴槽蓋装置。
【請求項３】
請求項１または２に記載の浴槽蓋装置であって、
前記浴槽蓋は、前記回転支持部に基端部が回転可能に支持された第１の蓋体部と、この第１の蓋体部の先端部に連結部を介して基端部が回転可能に連結された第２の蓋体部とを有しており、
前記蓋開き状態においては、前記第１の蓋体部が上向きに起立した回転姿勢とされ、かつ前記第２の蓋体部が前記連結部から下向きに垂れ下がった姿勢で前記第１の蓋体部の浴槽側片面に重なった状態に設定可能であるとともに、
前記蓋閉じ状態においては、前記第１の蓋体部が浴槽上に倒された姿勢とされ、かつ前記第２の蓋体部が前記第１の蓋体部と横並びの姿勢とされた状態に設定可能とされており、
前記２種類のダンパは、前記蓋閉じ動作時における前記第１の蓋体部の回転速度を下げるように設けられている、浴槽蓋装置。
【発明の詳細な説明】
【技術分野】
【０００１】
本発明は、浴槽の上面開口部を開閉するための浴槽蓋装置に関する。
【背景技術】
【０００２】
この種の浴槽蓋装置の一例として、特許文献１に記載のものがある。
同文献に記載の浴槽蓋装置は、浴槽蓋と、この浴槽蓋を回転可能に支持するための回転支持部とを備えている。浴槽蓋は、ヒンジを介して一端部どうしが相対回転可能に連結された第１および第２の蓋体部に分割されており、第１の蓋体部の他端部は、前記回転支持部に連結されている。このことにより、前記浴槽蓋装置においては、第１および第２の蓋体部が重なり合って上向き起立姿勢とされた蓋開き状態と、第１および第２の蓋体部が浴槽上に倒されて横並び略水平状の姿勢とされた蓋閉じ状態とを切り替え設定可能とされている。
前記した蓋開き状態から蓋閉じ状態への蓋閉じ動作時において、浴槽蓋（第１および第２の蓋体部）の回転速度が高速であると、浴槽蓋が浴槽の上面部に当たった際の衝撃が大きくなる。そこで、特許文献１においては、トーションバー方式のダンパを利用し、蓋閉じ動作時における浴槽蓋の回転速度を下げる手段を採用している。
【０００３】
しかしながら、前記従来技術においては、ダンパとして１種類のダンパを用いているに過ぎないため、次のような不具合がある。
すなわち、ダンパとして、エネルギ減衰作用が弱いものを用いた場合には、蓋閉じ動作時における浴槽蓋の回転速度を十分に遅くすることができず、浴槽蓋が浴槽の上面部に当たった際の衝撃は大きいものとなる。一方、ダンパとして、エネルギ減衰作用が強いものを用いた場合には、浴槽蓋の回転速度を十分に遅くし、浴槽蓋が浴槽の上面部に当たった際の衝撃を小さくすることは可能である。ところが、この後者の場合には、蓋閉じ動作の所要時間が長くなる不具合を生じてしまう。したがって、このような不具合を適切に解消することが望まれる。
【先行技術文献】
【特許文献】
【０００４】
【特許文献１】実公平４−３４７７２号公報
【発明の概要】
【発明が解決しようとする課題】
【０００５】
本発明は、前記したような事情のもとで考え出されたものであり、浴槽の蓋閉じ動作を迅速かつ適切に行なうことが可能な浴槽蓋装置を提供することを、その課題としている。
【課題を解決するための手段】
【０００６】
上記の課題を解決するため、本発明では、次の技術的手段を講じている。
【０００７】
本発明により提供される浴槽蓋装置は、浴槽蓋が上向き起立姿勢とされた蓋開き状態と、前記浴槽蓋が浴槽上に倒されて略水平の姿勢とされた蓋閉じ状態とを切り替え設定可能なように、前記浴槽蓋を回転可能に支持する回転支持部と、前記蓋開き状態から前記蓋閉じ状態への蓋閉じ動作時において、前記浴槽蓋が前記回転支持部を中心として回転する際の回転速度を下げるダンパ機能を発揮するダンパと、を備えている、浴槽蓋装置であって、前記ダンパとして、前記蓋閉じ動作時におけるダンパ機能の発揮時期（減衰力を生じさせる時期）が相違する少なくとも２種類のダンパを備えていることを特徴としている。
好ましくは、少なくとも２種類のダンパ蝶番を備えており、これらのダンパ蝶番は、前
記回転支持部と前記２種類のダンパを兼用した構成とされている。
【０００８】
このような構成によれば、１種類のダンパのみを用いていた従来技術とは異なり、少なくとも２種類のダンパを組み合わせて作用させることにより、蓋閉じ動作時における浴槽蓋に対して作用する減衰力を、少なくとも２段階に調整し、浴槽蓋の回転速度が十分に低速にされた期間と、これよりも浴槽蓋の回転速度が速くされた期間とを設定することが可能となる。その結果、蓋閉じ動作時間の短縮化を図りつつ、蓋閉じ時において浴槽蓋が浴槽に当たる際の衝撃を弱めるといったことを好適に達成することができる。
【０００９】
本発明において、好ましくは、前記２種類のダンパのうち、一方のダンパは、前記蓋閉じ動作の初期からダンパ機能を発揮し、かつ他方のダンパは、前記一方のダンパよりも遅れたタイミングでダンパ機能を発揮し、前記他方のダンパがダンパ機能を発揮する期間中は、それ以前の期間よりも前記浴槽蓋に作用するダンパ強さが大きくなるように構成されている。
【００１０】
このような構成によれば、蓋閉じ動作初期の所定期間中は、浴槽蓋の回転速度を速くし、蓋閉じ動作の所要時間を短くすることができる。一方、前記所定期間経過後においては、浴槽蓋の回転速度を遅くすることが確実化されるため、浴槽蓋が浴槽に当たる際の衝撃を適切に緩和する上で、より好ましいものとなる。
浴槽蓋が起立状態から略水平状態に倒れるように回転する場合、回転初期には回転速度が遅めであり、かつ倒れ角度が大きくなるにしたがって回転速度が速くなっていくのが通常であるが、前記構成は、そのような速度変化に好適に対応しており、蓋閉じ時における浴槽蓋の回転速度を衝撃の少ない適切な速度に設定することが容易に実現できる。
【００１１】
本発明において、好ましくは、前記浴槽蓋は、前記回転支持部に基端部が回転可能に支持された第１の蓋体部と、この第１の蓋体部の先端部に連結部を介して基端部が回転可能に連結された第２の蓋体部とを有しており、前記蓋開き状態においては、前記第１の蓋体部が上向きに起立した回転姿勢とされ、かつ前記第２の蓋体部が前記連結部から下向きに垂れ下がった姿勢で前記第１の蓋体部の浴槽側片面に重なった状態に設定可能であるとともに、前記蓋閉じ状態においては、前記第１の蓋体部が浴槽上に倒された姿勢とされ、かつ前記第２の蓋体部が前記第１の蓋体部と横並びの姿勢とされた状態に設定可能とされており、前記２種類のダンパは、前記蓋閉じ動作時における前記第１の蓋体部の回転速度を下げるように設けられている。
【００１２】
このような構成によれば、浴槽蓋を構成する第１および第２の蓋体部を利用して、浴槽を蓋閉じ状態に適切に設定し得ることは勿論のこと、蓋開き状態の際には、第１および第２の蓋体部を重ねた状態で起立姿勢とし、浴槽蓋の全体が大きく嵩張ることを適切に抑制することが可能である。蓋開き状態から蓋閉じ状態への移行時には、２種類のダンパを利用して第１の蓋体部に作用する減衰力を少なくとも２段階で調整することができるために、やはり蓋閉じ動作の所要時間を短くしつつ、第１および第２の蓋体部が浴槽に当たる際の衝撃を弱めることが可能である。
【００１３】
本発明のその他の特徴および利点は、添付図面を参照して以下に行なう発明の実施の形態の説明から、より明らかになるであろう。
【図面の簡単な説明】
【００１４】
【図１】本発明に係る浴槽蓋装置の一例を示す要部斜視図であって、（ａ）は蓋開き状態（ただし、第２蓋体部を第１の蓋体部には重ね合わせていない状態）であり、（ｂ）は蓋閉じ状態である。
【図２】図１に示す浴槽蓋装置の概略断面図であり、（ａ）は蓋開き状態であり、（ｂ）は蓋閉じ状態である。
【図３】図１および図２の浴槽蓋装置で用いられているバネ付き蝶番の一例を示し、（ａ）は正面図であり、（ｂ）は底面図である。
【発明を実施するための形態】
【００１５】
以下、本発明の好ましい実施の形態について、図面を参照して具体的に説明する。
【００１６】
図１および図２に示す浴槽蓋装置Ａは、浴槽３の上面開口部を塞ぐための浴槽蓋Ｃ、この浴槽蓋Ｃ用の回転支持部Ｓ、およびストッパ装置５を備えている。
浴槽蓋Ｃは、互いに別体に形成された第１および第２の蓋体部１，２を相対回転可能に連結したものであり、その連結には、１または複数のバネ付き蝶番６が用いられている。
【００１７】
回転支持部Ｓは、回転ダンパ機能を備えた複数のダンパ蝶番４（４Ａ，４Ｂ）を用いて構成されており、第１の蓋体部１の基端部１ａは、これら複数のダンパ蝶番４を介してたとえば浴室壁部９０に連結されている。ダンパ蝶番４は、本発明でいう回転支持部とダンパとの双方を兼用するものである。第１の蓋体部１は、各ダンパ蝶番４の中心軸周りに回転可能であり、上向きに起立した姿勢と、浴槽３上に倒された略水平な姿勢とに設定可能である。好ましくは、図２（ａ）の実線で示すように、第１の蓋体部１が上向きに起立した際の起立角度（最大角度）は、水平に対して略９０°となるように構成されている（たとえば、ダンパ蝶番４がそれ以上には回転しないことにより規制されている）。より厳密には、前記起立角度は、第１の蓋体部１の重心が、ダンパ蝶番４の中心軸を通過する鉛直線よりも浴室壁部９０側に位置しない角度である。このような構成によれば、後述するように、第２の蓋体部２が回転してその先端部２ｂが上昇する動作に基づき、第１の蓋体部１を浴槽３側に自動的に倒すことが可能となる。複数のダンパ蝶番４の詳細については、後述する。
【００１８】
バネ付き蝶番６は、たとえば図３に示すように、中心軸６０周りにバネ６２が外嵌され、かつ相対回転可能な一対の取付板６１がバネ６２によって一定の回転方向に弾発付勢された構成である。図２（ｂ）によく表われているように、このバネ付き蝶番６を利用して、第１の蓋体部１の先端部１ｂと第２の蓋体部２の基端部２ａとが連結されている。このため、図２（ａ）に示すように、第１の蓋体部１を上向きに起立させた際には、第２の蓋体部２を第１の蓋体部１の先端部１ｂから垂れ下がらせて第１の蓋体部１の浴槽側片面（浴室壁部９０とは反対側の片面）に重ね合わせた蓋開き状態を設定可能である。一方、図２（ｂ）および図１（ｂ）に示すように、第１の蓋体部１を浴槽３上に倒した際には、第２の蓋体部２をそれと横並びの略水平な姿勢とした蓋閉じ状態を設定可能である。
【００１９】
バネ付き蝶番６は、第１および第２の蓋体部１，２の夾角が拡大する方向にバネ力（バネ６２による弾発付勢力）を発揮するものである。このバネ力の強さは、図２（ａ）の蓋開き状態において、ストッパ５０による後述の位置規制を受けない際に、第２の蓋体部２を適当な角度（たとえば、１０〜４５°程度）だけ回転させ得る強さとされている。
【００２０】
ストッパ装置５は、第１および第２の蓋体部１，２の回転規制手段に相当するものである。図１において、ストッパ装置５は、水平方向に往復動可能な可動式のストッパ５０が筐体５１に組み込まれた構成であり、浴室壁部９１に取り付けられている。ただし、これに代えて、ストッパ装置５を浴室壁部９０に取り付けてもよい。ストッパ５０は、筐体５１の前方に突出した前進状態と、筐体５１の前方に突出せず、または突出寸法が小さい後退状態とに切り替え変更可能とされている。図２（ａ）に示す蓋開き状態において、ストッパ５０が前進状態にある場合には、ストッパ５０が第２の蓋体部２の浴槽側片面に当接するようになっている（第２の蓋体部２のうち、浴室壁部９１に対面する側面部に凹部を形成しておき、この凹部にストッパ５０が嵌入する構成とすることも可能）。このことに
より、第２の蓋体部２がバネ付き蝶番６のバネ力によって回転することは阻止される。また、第１の蓋体部１が浴槽３側へ倒れることも阻止される。ストッパ５０の前進は、たとえば筐体５１に組み込まれたバネ（不図示）の弾発力を利用して行なわれる。
【００２１】
一方、ストッパ５０が後退状態とされた場合には、ストッパ５０と第２の蓋体部２との当接（干渉）は回避されるとともに、ストッパ５０と第１の蓋体部１との干渉も回避される状態となる。この状態においては、蓋開き状態から蓋閉じ状態への移行が可能となる。ストッパ５０の後退は、たとえば筐体５１に設けられたレバー５２をユーザが操作することにより行なわれるようになっている。
【００２２】
好ましくは、図２（ｂ）の蓋閉じ状態から同図（ａ）の蓋開き状態に変更される場合において、第１および第２の蓋体部１，２がストッパ５０に当たる際にもストッパ５０が後退するように構成されている。このような構成は、たとえば家屋などに設置される一般的なドアのラッチ機構と同様な構成とすることにより実現することが可能である。具体的には、ストッパ５０の先端部のうち、浴槽３側の片側に傾斜面５０ａを設けておき、この傾斜面５０ａに第１および第２の蓋体部１，２が当たると、ストッパ５０が筐体５１側へ押し込まれるように構成することができる。このような構成によれば、蓋閉じ状態から蓋開き状態に変更する際に、ストッパ５０を後退させるためのレバー操作を行なう必要が無くなる。
【００２３】
第１および第２の蓋体部１，２は、たとえばともに樹脂製のパネル体であり、その内部に断熱部材が配された構成である。好ましくは、第１および第２の蓋体部１，２のサイズは相違しており、第２の蓋体部２の長さＬ２は、第１の蓋体部１の長さＬ１よりも短くされている（図１（ｂ）を参照）。本実施形態においては、第１および第２の蓋体部１，２は矩形状ではなく、一部分が切り欠かれた形状とされているが、これは浴槽３のフランジ部３０に設けられた操作部３９ａ，３９ｂを覆わないようにするためである。操作部３９ａ，３９ｂは、たとえば浴槽排水栓の開閉用スイッチ、および浴槽洗浄装置の洗剤補充口である。
【００２４】
図２（ｂ）の要部拡大断面図１によく表われているように、第１の蓋体部１の先端部１ｂおよび第２の蓋体部２の基端部２ａの端面１０，２０の少なくとも一部は、平面状または曲面状の傾斜面とされている。このことにより、同図に示す蓋閉じ状態において、端面１０，２０の相互間には、上拡がり状の隙間９８が形成されている。このような構成は、隙間９８にユーザの指などが挟み込まれないようにする上で好ましい。
【００２５】
図２（ｂ）の要部拡大断面図２によく表われているように、第２の蓋体部２の先端部２ｂには、第２の蓋体部２の他の部分よりも摩擦係数が小さい低摩擦部分２１が設けられている。蓋閉じ動作時の後期、および蓋開き動作時の前期には、第２の蓋体部２の先端部２ｂが浴槽３の上面部３１に摺接するが、その際には低摩擦部分２１が上面部３１に接触するようになっている。このような構成によれば、第２の蓋体部２の滑りをよくし、浴槽蓋Ｃの開閉操作性をよくする上で好ましい。低摩擦部分２１は、たとえば第２の蓋体部２に別部材を接合する手段、あるいは第２の蓋体部２に樹脂材をコーティングする手段などにより設けられている。
【００２６】
好ましくは、図１（ｂ）において、第１および第２の蓋体部１，２の表面部（同図の上面部）は、傾斜面とされている。具体的には、たとえば同図の符号Ｐ１，Ｐ２で示す部分など、第１および第２の蓋体部１，２のそれぞれの一部分は、高さが最も高く、かつこれ以外の部分おいては、第１および第２の蓋体部１，２の外周縁に近づくほど高さが徐々に低くなるように傾斜している。このような構成によれば、第１および第２の蓋体部１，２の表面部上に湯水が溜まらないようにすることができる。第１および第２の蓋体部１，２
上に湯水が溜まっていると、蓋開閉動作時に第１および第２の蓋体部１，２から湯水が流れ落ち、ユーザに掛かる虞がある。これに対し、前記構成によれば、そのような虞を適切に解消することが可能である。
【００２７】
ダンパ蝶番４としては、たとえば力を受けた際に所定の流体がオリフィスを流れ、その際の抵抗力を利用して減衰力を発生させる原理を利用した従来既知の構造のものを用いることができる（たとえば、特開２００４−３１６２０２号公報、特開昭５６−１１９０８６号公報、特開２００９−９２０８６号公報などに記載の構造）。ダンパ蝶番４は、第１の蓋体部１が起立状態から略水平状に倒れるように回転する際に、ダンパ機能（エネルギ減衰による速度低減機能）を発揮し、第１の蓋体部１の回転速度を下げるものであり、第１の蓋体部１が前記とは反対方向へ回転する際には、ダンパ機能を発揮しない。
【００２８】
複数のダンパ蝶番４として、２種類のダンパ蝶番４Ａ，４Ｂが設けられている。一方のダンパ蝶番４Ａは、第１の蓋体部１が上向き起立状態から略水平状態に倒れるまでの略全期間にわたってダンパ機能を発揮する。これに対し、他方のダンパ蝶番４Ｂは、第１の蓋体部１が所定角度α１だけ浴槽３側に傾いた時点から略水平状態に倒れるまでの期間（角度α２の範囲に相当）のみにおいてダンパ機能を発揮し、それ以外の期間においてはダンパ機能を発揮しない。本実施形態の浴槽蓋装置Ａにおいては、蓋閉じ動作時には、第１の蓋体部１よりも第２の蓋体部２の方が先に浴槽３の上面部３１に当たる。このため、前記所定角度α１は、少なくとも第２の蓋体部２が浴槽３の上面部３１に当たらない角度であり、たとえば３０〜４５°程度とされる。ダンパ蝶番４Ｂは、ダンパ蝶番４Ａよりもダンパ強さが大である。
【００２９】
次に、前記した浴槽蓋装置Ａの作用について説明する。
【００３０】
まず、入浴時には、図２（ａ）に示すように、浴槽蓋Ｃを２つ折りした状態で浴室壁部９０に沿わせて起立させた蓋開き状態に設定しておくことができる。一方、非入浴時には、同図（ｂ）に示すように、浴槽蓋Ｃによって浴槽３の上面開口部を適切に覆った蓋閉じ状態に設定することが可能である。第２の蓋体部２は、第１の蓋体部１よりも長さが短いため、同図（ａ）の状態においては、第１の蓋体部１よりも浴槽３側の領域のうち、第２の蓋体部２の下方に空間部９６が形成される。この空間部９６は、入浴者に対する圧迫感を和らげる余裕空間となる。また、たとえば浴槽３の湯に浸かった入浴者が頭を配置するためのスペースの一部として利用するといったことも可能となる。
【００３１】
前記した蓋開き状態から蓋閉じ状態に移行するには、ストッパ装置５のレバー５２を操作するなどして、ストッパ５０を後退させればよい。このことにより、第２の蓋体部２は、バネ付き蝶番６のバネ力に基づき、その先端部２ｂが浴槽３側に変位しつつ上昇する方向へ回転する。すると、この第２の蓋体部２の重心の移動に基づき、第１の蓋体部１は、浴槽３側へ倒れるように回転を開始する。その後は、同図（ａ）の符号Ｎ１，Ｎ２に示すように、第１および第２の蓋体部１，２の姿勢が変化していく結果、前記した蓋閉じ状態となる。このような蓋閉じ動作に際し、ユーザはストッパ装置５のレバー操作を行なうだけでよく、第２の蓋体部２を持ち上げて回転させるような必要はない、したがって、ユーザにとって便利である。第２の蓋体部２は、既述したように、第１の蓋体部１よりも短い長さとされており、その軽量化が図られているために、第２の蓋体部２を回転させるためのバネ付き蝶番６のバネ力をさほど強くする必要はない。これは、バネ付き蝶番６のコストを低減する上で好ましいものとなる。
【００３２】
前記した蓋閉じ動作時においては、ダンパ蝶番４によるダンパ機能が発揮され、第１の蓋体部１の回転速度が遅くされるため、蓋閉じ時において、第１および第２の蓋体部１，２が浴槽３の上面部に強く当たることが回避される。とくに本実施形態においては、第１
の蓋体部１の傾斜角度がα１に達する迄の期間中は、ダンパ蝶番４Ａのダンパ機能のみが発揮されて、第１の蓋体部１の倒れ速度が過度に低速にならないようにすることができる。その一方、傾斜角度α1に達した後の期間中（角度α２の範囲）は、２種類のダンパ蝶番４Ａ，４Ｂの双方のダンパ機能が発揮されるため、第１および第２の蓋体部１，２が浴槽３の上面部３１に当たる際の速度を十分に遅くすることができる。したがって、蓋閉じ動作の所要時間の短縮化を図りつつ、蓋閉じ時の衝撃を適切に緩和する効果が得られる。
【００３３】
蓋閉じ状態から蓋開状態に復帰させる場合、ダンパ蝶番４はその際の抵抗力を発生させないため、ユーザは、比較的弱い力で第１および第２の蓋体部１，２を回転させて元の起立状態に設定することが可能である。蓋閉じ動作時には、バネ付き蝶番６のバネ力に抗して第２の蓋体部２を回転させる必要があるが、既述したように、第２の蓋体部２の短寸化によってバネ付き蝶番６のバネ力を比較的弱くしておけば、その分だけ蓋閉じ動作時における第２の蓋体部２の回転操作が容易となる。
【００３４】
本発明は、上述した実施形態の内容に限定されない。本発明に係る浴槽蓋装置の各部の具体的な構成は、本発明の意図する範囲内において種々に設計変更自在である。
【００３５】
たとえば、ダンパ蝶番４Ｂがダンパ蝶番４Ａよりもダンパ強度が大きい場合には、ダンパ蝶番４Ａは、角度α１の範囲においてのみダンパ機能を発揮し、かつ角度α２の範囲においては、ダンパ蝶番４Ｂのみがダンパ機能を発揮するように構成した場合においても、上述した実施形態と同様な効果を得ることが可能である。
また、２種類のダンパ蝶番４Ａ，４Ｂは、少なくともダンパ機能を発揮するタイミングが相違するように構成されていればよく、必ずしもそれらのダンパ強度は相違していなくてもよい。たとえば、ダンパ蝶番４Ａ，４Ｂのダンパ強度が同一であったとしても、角度α１の範囲ではダンパ蝶番４Ａ，４Ｂの一方のみがダンパ機能を発揮し、かつ角度α２の範囲では２種類のダンパ蝶番４Ａ，４Ｂの双方がダンパ機能を発揮すれば、浴槽蓋の回転に対する減衰力を２段階に変化させ、本発明の意図する効果を得ることが可能である。
【００３６】
上述の実施形態においては、浴槽蓋の回転支持に利用されているダンパ蝶番が、本発明でいう浴槽蓋用の回転支持部と、ダンパとを兼用しているため、装置構成を簡素にする上で好ましいが、やはり本発明はこれに限定されない。浴槽蓋用の回転支持部とダンパとが分離したかたちで設けられていてもよい。ダンパの具体的な種類、構造、数などは問わない。ダンパを３種類以上用いることもできる。
【００３７】
浴槽蓋は、必ずしも相対回転可能に連結された第１および第２の蓋体部を有するものでなくてもよい。浴槽蓋として、１枚のパネル状に形成された浴槽蓋を用いることも可能である。
【符号の説明】
【００３８】
Ａ，Ａａ  浴槽蓋装置
Ｃ  浴槽蓋
Ｓ  回転支持部
１  第１の蓋体部
１ａ  基端部（第１の蓋体部の）
１ｂ  先端部（第１の蓋体部の）
２  第２の蓋体部
２ａ  基端部（第２の蓋体部の）
２ｂ  先端部（第２の蓋体部の）
３  浴槽
４（４Ａ，４Ｂ）  ダンパ蝶番（ダンパ，回転支持部）
【図１】
2016120172.tif 000003
【図２】
2016120172.tif 000004
【図３】
2016120172.tif 000005